(57)【要約】【課題】例えば、作業者がガイドレールに対する所定姿勢により容易にあるいはより精度良くセットしやすい角度指示器や、作業者が種々のガイドレールに対応する治具を構成しやすい角度指示器を得る。【解決手段】実施形態のガイドレールの角度指示器は、ベース部と、ポインタと、第一の指示部と、を備える。ベース部は、エレベータのガイドレールの頂面との第一の接触面を有する。ポインタは、ベース部に回動可能に支持され、ガイドレールの側面との第二の接触面を有する。第一の指示部は、ベース部に設けられ、ポインタのベース部に対する所定姿勢を示す。【選択図】図３
2017210333.tif 000002
【特許請求の範囲】
【請求項１】
エレベータのガイドレールの頂面との第一の接触面を有したベース部と、
前記ベース部に回動可能に支持され、前記ガイドレールの側面との第二の接触面を有したポインタと、
前記ベース部に設けられ、前記ポインタの前記ベース部に対する所定姿勢を示す第一の指示部と、
を備えた、ガイドレールの角度指示器。
【請求項２】
前記ベース部に、前記ガイドレールと平行に設置される別のガイドレールに設けられる別の角度指示器との間に介在する中間部材を結合する結合部が設けられた、請求項１に記載のガイドレールの角度指示器。
【請求項３】
前記ベース部に、前記ガイドレールと平行に設置される別のガイドレールに設けられる別の角度指示器との間に掛け渡されるストリングを引っ掛ける引掛部と、前記ストリングの前記ベース部に対する所定姿勢を示す第二の指示部と、が設けられた、請求項１または２に記載のガイドレールの角度指示器。
【請求項４】
前記ベース部は、第一の面を有し、
前記ポインタは、前記第一の面に沿って回動可能に前記ベース部に支持され、
前記第一の面には、前記第一の面を垂直に見た場合に前記ポインタと重なる位置に、開口部が設けられた、請求項１〜３のうちいずれか一つに記載のガイドレールの角度指示器。
【請求項５】
エレベータのガイドレールの頂面との第一の接触面を有したベース部と、前記ベース部に回動可能に支持され、前記ガイドレールの側面との第二の接触面を有したポインタと、前記ベース部に設けられ、前記ポインタの前記ベース部に対する所定姿勢を示す第一の指示部と、を備えた、ガイドレールの角度指示器を用いた、ガイドレールの角度調整方法であって、
前記頂面に前記第一の接触面を接触させる工程と、
前記側面に前記第二の接触面を接触させる工程と、
前記ポインタが前記第一の指示部の所定位置を指すように前記ガイドレールの角度を調整する工程と、
を備えた、ガイドレールの角度調整方法。
【発明の詳細な説明】
【技術分野】
【０００１】
実施形態は、ガイドレールの角度指示器および角度調整方法に関する。
【背景技術】
【０００２】
従来、エレベータのガイドレールの位置や姿勢（角度）を調整する治具が知られている（例えば、特許文献１）。
【先行技術文献】
【特許文献】
【０００３】
【特許文献１】特開平５−２７０７６６号公報
【発明の概要】
【発明が解決しようとする課題】
【０００４】
ガイドレールの位置や姿勢を調整する作業においては、例えば、作業者がガイドレールに対する所定姿勢により容易にあるいはより精度良くセットしやすい角度指示器や、作業者が種々のガイドレールに対応する治具を構成しやすい角度指示器が得られれば、有益である。
【課題を解決するための手段】
【０００５】
実施形態のガイドレールの角度指示器は、ベース部と、ポインタと、第一の指示部と、を備える。ベース部は、エレベータのガイドレールの頂面との第一の接触面を有する。ポインタは、ベース部に回動可能に支持され、ガイドレールの側面との第二の接触面を有する。第一の指示部は、ベース部に設けられ、ポインタのベース部に対する所定姿勢を示す。
【図面の簡単な説明】
【０００６】
【図１】図１は、第１実施形態における角度指示器の使用態様を示す斜視図である。
【図２】図２は、第１実施形態の角度指示器の平面図である。
【図３】図３は、ガイドレールに適用された状態における第１実施形態の角度指示器の拡大された部分的な平面図であって、ガイドレールが正しい姿勢で設置されている状態を示す図である。
【図４】図４は、ガイドレールに適用された状態における第１実施形態の角度指示器の拡大された部分的な平面図であって、ガイドレールが正しい姿勢で設置されていない状態を示す図である。
【図５】図５は、第２実施形態における角度指示器の使用態様を示す斜視図である。
【図６】図６は、ガイドレールに適用された状態における第２実施形態の角度指示器の拡大された部分的な平面図であって、ガイドレールが正しい姿勢で設置されている状態を示す図である。
【図７】図７は、ガイドレールに適用された状態における第２実施形態の角度指示器の拡大された部分的な平面図であって、ガイドレールが正しい姿勢で設置されていない状態を示す図である。
【発明を実施するための形態】
【０００７】
以下、ガイドレールの角度指示器の例示的な実施形態および変形例が開示される。以下に示される実施形態の構成や制御（技術的特徴）、ならびに当該構成や制御によってもたらされる作用および結果（効果）は、一例である。
【０００８】
（第１実施形態）
図１は、本実施形態における角度指示器１０の使用態様を示す斜視図である。本実施形態では、図１に示されるように、二本のガイドレール１００の相対的な位置や姿勢を調整するのに、二つの角度指示器１０が用いられている。二つの角度指示器１０が、棒状の中間部材２０の長手方向の端部２０ａのそれぞれに固定され、これら二つの角度指示器１０および中間部材２０によって、二本のガイドレール１００間を渡るレール調整治具１が構成されている。レール調整治具１に含まれる一方の角度指示器１０は、一方のガイドレール１００に押し当てられ、他方の角度指示器１０は、他方のガイドレール１００に押し当てられる。角度指示器１０には、当該角度指示器１０がガイドレール１００に接触した姿勢を指示するポインタ１２および指示部１３（図２等参照）が設けられている。作業者は、二つの角度指示器１０において、ポインタ１２および指示部１３によって所定の姿勢であることが示される状態が得られるように、二本のガイドレール１００のうち少なくとも一方の位置や姿勢を調整する。指示部１３は、第一の指示部の一例である。なお、本実施形態では、二つの角度指示器１０（１０Ｌ，１０Ｒ）は、互いの鏡像であるが、これには限定されない。また、レール調整治具１は、長さを変更可能な中間部材２０を有してもよいし、交換可能（着脱可能）な中間部材２０を有してもよい。
【０００９】
各図中には、便宜上、Ｘ方向、Ｙ方向、およびＺ方向が示されている。Ｘ方向、Ｙ方向、およびＺ方向は、互いに直交している。Ｘ方向は、角度指示器１０および中間部材２０の長手方向、Ｙ方向は、角度指示器１０および中間部材２０の幅方向と称されうる。また、Ｚ方向は、角度指示器１０の厚さ方向と称されうる。角度指示器１０は、Ｚ方向が上下方向（鉛直方向）であり、かつＸ方向およびＹ方向が水平方向である姿勢で、用いられる。
【００１０】
図２は、角度指示器１０（１０Ｌ）の平面図である。図２に示されるように、角度指示器１０は、ベース部１１、ポインタ１２、および指示部１３を有する。
【００１１】
ベース部１１の形状は、偏平な長方形の板状である。換言すれば、ベース部１１の形状は、Ｚ方向に薄い扁平な直方体状である。ベース部１１は、表面１１ａと裏面１１ｂとを有する。表面１１ａおよび裏面１１ｂは、Ｚ方向に離間した互いに平行な平面であり、いずれも、Ｚ方向と直交して延びている。また、ベース部１１は、表面１１ａおよび裏面１１ｂと直交する四つの側面１１ｃを有する。
【００１２】
ベース部１１の表面１１ａ上には、ポインタ１２および指示部１３が設けられている。また、表面１１ａには、目盛１１ｄや、目印１１ｅが設けられている。よって、表面１１ａは、指示面や視認面と称されうる。
【００１３】
ベース部１１は、当該ベース部１１の裏面１１ｂと中間部材２０の端部２０ａ（図１参照）とが接触した状態で、中間部材２０に取り付けられる。よって、裏面１１ｂは、接触面や取付面と称されうる。
【００１４】
ベース部１１には、Ｚ方向に貫通する複数の貫通孔１１ｆが設けられている。裏面１１ｂと中間部材２０の端部２０ａとが接触した状態で、表面１１ａ側から貫通孔１１ｆを貫通したネジ等の結合具（不図示）が中間部材２０と結合されることにより、角度指示器１０と中間部材２０とが一体化される。なお、貫通孔１１ｆには、断面が円形状の貫通孔１１ｆと、断面がＸ方向に延びた長穴状の貫通孔１１ｆとが含まれている。貫通孔１１ｆは、結合部の一例である。また、中間部材２０は、例えば、木材の角棒や、貫通孔が設けられた金属製のアングル材等であり、結合具は、例えば、木ねじや、ボルト、ナット等である。
【００１５】
ベース部１１には、Ｙ方向に互いに向かい合う二つの第一切欠１１ｇが設けられている。二つの第一切欠１１ｇは、ベース部１１のＹ方向の両側に位置した二つの側面１１ｃ１に設けられ、互いに近付くようにＹ方向の一方および他方に延びている。第一切欠１１ｇは、ベース部１１をＺ方向に貫通している。また、第一切欠１１ｇの縁に沿って、表面１１ａには、目盛１１ｄ（指標）が設けられている。図１，２に示されるように、第一切欠１１ｇには、ガイドレール１００の設置時やメンテナンス時等に昇降路内に鉛直方向すなわちＺ方向に垂れ下がるように設置されるキャリブレーション用のワイヤ４０が収容されうる。よって、作業者は、目盛１１ｄに対するワイヤ４０の位置に基づいて、角度指示器１０ひいてはガイドレール１００が、正しい位置や姿勢にあるか否かを、確認することができる。目盛１１ｄは、第三の指示部の一例であり、ワイヤ４０は、第二のストリングの一例である。
【００１６】
また、ベース部１１のＸ方向の一端側、すなわち図２では左側の角部には、Ｙ方向に互いに向かい合う二つの第二切欠１１ｈおよび第三切欠１１ｉが設けられている。第二切欠１１ｈは、Ｙ方向に沿った側面１１ｈ１や、Ｘ方向に沿った側面１１ｈ２等によって構成されている。第三切欠１１ｉは、Ｙ方向に沿った側面１１ｉ１や、Ｘ方向に沿った側面１１ｉ２等によって構成されている。また、第二切欠１１ｈおよび第三切欠１１ｉは、ベース部１１をＺ方向に貫通している。
【００１７】
ポインタ１２は、Ｘ方向に略沿って延びた姿勢で、表面１１ａ上に取り付けられている。ポインタ１２は、表面１１ａと垂直なＺ方向に沿った回転中心Ａｘ回りに回動可能に、ベース部１１に支持されている。すなわち、ポインタ１２は、表面１１ａに沿って回動可能である。ポインタ１２の長手方向の一端部、すなわち図２では左側の端部がベース部１１に回動可能に支持され、ポインタ１２の長手方向の他端部、すなわち図２では右側の端部が回動端、すなわち自由端である。回動端には、Ｚ方向の視線、すなわち図２の視線でテーパ状の尖部１２ａが設けられている。指示部１３は、ベース部１１の表面１１ａ上で、尖部１２ａと微少な隙間をあけてＸ方向に向き合って配置されている。図２に示されるポインタ１２の姿勢、すなわち、Ｚ方向に沿った表面１１ａの法線方向からの視線において、尖部１２ａが指示部１３の基準位置１３ａと並んだ姿勢が、角度指示器１０においてポインタ１２がベース部１１に対して取るべき姿勢（角度）である。なお、ポインタ１２の尖部１２ａは、Ｚ方向の視線において、指示部１３を隙間をあけて覆うように構成されてもよい。また、ベース部１１には、ポインタ１２の回動角度を制限する構成（例えば、突起等）や、ポインタ１２を所定位置、例えば図２に示される位置に戻す構成（例えば、弾性部材等）が、設けられてもよい。
【００１８】
また、ベース部１１においてポインタ１２とＺ方向に重なる位置には、開口部１１ｊが設けられている。これにより、表面１１ａとポインタ１２との間にゴミや油等が入ることによりポインタ１２が回動し難くなるのが、抑制されている。表面１１ａは、第一の面の一例である。
【００１９】
図３および図４は、ガイドレール１００に接触した状態、すなわちガイドレール１００に適用された状態における角度指示器１０の拡大された部分的な平面図である。図３は、ガイドレール１００が正しい姿勢で設置されている状態を示し、図４は、ガイドレール１００が正しい姿勢に対して傾斜した姿勢で設置されている状態を示している。
【００２０】
図３，４に示されるように、ガイドレール１００は、底壁１０１および突壁１０２を有する。突壁１０２の先端部は、側面１０２ａと頂面１０２ｂとを有している。
【００２１】
ポインタ１２の長手方向の一端部、すなわち図３，４では左側の端部には、当該ポインタ１２の長手方向に沿って延びる側面１２ｂが設けられている。
【００２２】
本実施形態では、図３，４に示されるように、ガイドレール１００の突壁１０２の先端部が第二切欠１１ｈ内に挿入された状態で、ガイドレール１００の位置および姿勢の調整が行われる。図３，４に示されるように、角度指示器１０は、ガイドレール１００の突壁１０２の先端部が第二切欠１１ｈ内に挿入された状態にあっては、ガイドレール１００の側面１０２ａには、第二切欠１１ｈの側面１１ｈ２ではなくポインタ１２の側面１２ｂが接触するよう、構成されている。すなわち、図２にも示されるように、Ｚ方向の視線で、ポインタ１２は、第二切欠１１ｈの側面１１ｈ２を覆っている。側面１１ｈ１は、第一の接触面の一例であり、側面１２ｂは、第二の接触面の一例である。また、第二切欠１１ｈは、ガイド部あるいは当接部と称されうる。
【００２３】
そして、角度指示器１０は、ポインタ１２の側面１２ｂと角度指示器１０の長手方向（Ｘ方向）とが平行である場合に、ポインタ１２の尖部１２ａが指示部１３の基準位置１３ａを示すように構成されている。なお、角度指示器１０の長手方向（Ｘ方向）は、例えば、ベース部１１の側面１１ｃ１が延びる方向である。
【００２４】
作業者は、例えば、角度指示器１０を手に持ち、図３，４に示されるように、ガイドレール１００の突壁１０２の先端部が第二切欠１１ｈ内に挿入され、ガイドレール１００の頂面１０２ｂに第二切欠１１ｈのＹ方向に沿った側面１１ｈ１が接触し、かつガイドレール１００の側面１０２ａにポインタ１２の側面１２ｂが接触した状態（密着した状態）に、セットする。ここで、上述したように、角度指示器１０は、ポインタ１２の側面１２ｂと角度指示器１０の長手方向（Ｘ方向）とが平行である場合に、ポインタ１２の尖部１２ａが指示部１３の基準位置１３ａを示すように構成されている。したがって、図３に示されるように、ポインタ１２の側面１２ｂとガイドレール１００の側面１０２ａとが密着し、かつポインタ１２の尖部１２ａが指示部１３の基準位置１３ａを指示した状態にあっては、Ｚ方向の視線において、ガイドレール１００の側面１０２ａが延びる方向、すなわち突壁１０２の突出方向と、角度指示器１０の長手方向（Ｘ方向）とが、平行である。
【００２５】
一方、図４に示されるように、ポインタ１２の側面１２ｂとガイドレール１００の側面１０２ａとが密着している状態で、ポインタ１２の尖部１２ａが指示部１３の基準位置１３ａを指示していない状態、すなわちポインタ１２が所定姿勢（角度）からオフセットしている状態にあっては、Ｚ方向の視線において、ガイドレール１００の側面１０２ａが延びる方向、すなわち突壁１０２の突出方向と、角度指示器１０の長手方向（Ｘ方向）とが、平行ではない。
【００２６】
また、レール調整治具１においては、図１に示されるように、二つの角度指示器１０（１０Ｌ，１０Ｒ）は、それぞれの長手方向（Ｘ方向）に沿った中心線が一直線上にならぶように、中間部材２０に固定されている。
【００２７】
したがって、作業者は、中間部材２０の長手方向の端部２０ａに固定された二つの角度指示器１０（１０Ｌ，１０Ｒ）において、ガイドレール１００の頂面１０２ｂに第二切欠１１ｈの側面１１ｈ１が接触し、ガイドレール１００の側面１０２ａにポインタ１２の側面１２ｂが密着し、かつポインタ１２の尖部１２ａが指示部１３の基準位置１３ａを指示した状態が得られるよう、二つの角度指示器１０（１０Ｌ，１０Ｒ）を見ながら、二つのガイドレール１００のうち少なくとも一方の位置や姿勢を調整する。これにより、作業者は、二つのガイドレール１００を、所要の位置および姿勢に設置するあるいは調整することができる。
【００２８】
以上、説明したように、本実施形態では、ベース部１１は、ガイドレール１００の頂面１０２ｂと接触する側面１１ｈ１（第一の接触面）を有し、ポインタ１２は、ガイドレール１００の側面１０２ａと接触する側面１２ｂ（第二の接触面）を有し、ベース部１１に、ポインタ１２のベース部１１に対する所定姿勢を示す指示部１３（第一の指示部）が設けられている。よって、本実施形態によれば、例えば、作業者は、指示部１３に対するポインタ１２の指示状態によって、ガイドレール１００に対して角度指示器１０がセットされた姿勢の適否を、より容易にあるいはより精度良く、把握することができる。
【００２９】
また、本実施形態では、ベース部１１に、中間部材２０を結合するのに用いる貫通孔１１ｆ（結合部）が設けられている。よって、作業者は、中間部材２０の両端部２０ａに角度指示器１０を結合したレール調整治具１を、容易に構成することができる。したがって、本実施形態によれば、例えば、作業者は、状況や場所に応じたレール調整治具１を、比較的容易に得ることができる。また、作業者は、例えば、作業現場において、レール調整治具１を作成することができる。
【００３０】
そして、本実施形態では、作業者は、中間部材２０を介して二つの角度指示器１０が結合されたレール調整治具１の、当該二つの角度指示器１０が、二つのガイドレール１００に対して正しい姿勢でセットされるよう、当該二つの角度指示器１０を見ながら、二つのガイドレール１００のうち少なくとも一つの位置や姿勢を調整することができる。
【００３１】
また、本実施形態では、ベース部１１には、開口部１１ｊが設けられている。よって、ベース部１１に開口部１１ｊが設けられない構成と比較して、ポインタ１２が回動しやすい。
【００３２】
（第２実施形態）
図５は、本実施形態における角度指示器１０の使用状態を示す斜視図である。本実施形態でも、図５に示されるように、二本のガイドレール１００の相対的な位置や姿勢を調整するのに、二つの角度指示器１０（１０Ｌ，１０Ｒ）が用いられる。本実施形態でも、上記第１実施形態と同じ角度指示器１０が用いられ、二つの角度指示器１０は、互いの鏡像である。
【００３３】
ただし、本実施形態では、二つの角度指示器１０の間に、ワイヤ３０が架け渡され、これら二つの角度指示器１０およびワイヤ３０により、二本のガイドレール１００間を渡るレール調整治具１Ａが構成されている。レール調整治具１Ａに含まれる一方の角度指示器１０は、一方のガイドレール１００に押し当てられ、他方の角度指示器１０は、他方のガイドレール１００に押し当てられる。角度指示器１０には、当該角度指示器１０のベース部１１に対してワイヤ３０が所定の姿勢であることを示す目印１１ｅ（図６等参照）が設けられている。作業者は、二つの角度指示器１０において、ワイヤ３０および目印１１ｅによって角度指示器１０が所定の姿勢であることが示される状態が得られるように、ガイドレール１００の位置や姿勢を調整する。なお、ワイヤ３０は、中間部分に、長さ調整部材３０ａを有してもよいし、ワイヤ３０自体が伸縮可能なものであってもよい。ワイヤ３０は、ストリングの一例であり、目印１１ｅは、第二の指示部の一例である。
【００３４】
図６および図７は、ガイドレール１００に接触した状態、すなわちガイドレール１００に適用された状態における角度指示器１０の拡大された部分的な平面図である。図６は、ガイドレール１００が正しい姿勢で設置されている状態を示し、図７は、ガイドレール１００が正しい姿勢に対して傾斜した姿勢で設置されている状態を示している。
【００３５】
角度指示器１０は、第１実施形態と同じである。ただし、本実施形態では、図６，７に示されるように、ガイドレール１００の突壁１０２の先端部が第二切欠１１ｈではなく第三切欠１１ｉ内に挿入された状態で、ガイドレール１００の位置および姿勢の調整が行われる。図６，７に示されるように、角度指示器１０は、ガイドレール１００の突壁１０２の先端部が第三切欠１１ｉ内に挿入された状態にあっては、ガイドレール１００の側面１０２ａには、ポインタ１２の側面１２ｂではなく第三切欠１１ｉの側面１１ｉ２が接触するよう、構成されている。すなわち、図６，７に示されるように、Ｚ方向の視線で、ポインタ１２は、第三切欠１１ｉの側面１１ｉ２を覆わず、第三切欠１１ｉの側面１１ｉ２は、ポインタ１２から外れて露出している。側面１１ｉ２とともに側面１１ｉ１は、第一の接触面の一例である。また、第三切欠１１ｉは、ガイド部あるいは当接部と称されうる。
【００３６】
第一切欠１１ｇには、Ｘ方向に沿って延びた切欠として、ワイヤ３０の引掛部１１ｋが設けられている。ワイヤ３０は、二つの角度指示器１０（１０Ｒ，１０Ｌ）間で架け渡される。
【００３７】
目印１１ｅは、引掛部１１ｋに掛けられて二つの角度指示器１０間で架け渡されたワイヤ３０が、第三切欠１１ｉのＸ方向に沿った側面１１ｉ２と平行である状態で、Ｚ方向の視線で、当該ワイヤ３０が目印１１ｅに沿うよう、換言すれば、ワイヤ３０と目印１１ｅとが重なるよう、構成および配置される。本実施形態では、目印１１ｅは、ベース部１１の表面１１ａに設けられ、角度指示器１０の長手方向（Ｘ方向）に沿った溝として設けられている。なお、目印１１ｅは、溝には限定されず、突起や、段差、描かれた線、模様、色の境界等であってもよい。また、目印１１ｅは、線状のものには限定されない。
【００３８】
作業者は、例えば、角度指示器１０を手に持ち、図６，７に示されるように、ガイドレール１００の突壁１０２の先端部が第三切欠１１ｉ内に挿入され、ガイドレール１００の頂面１０２ｂに第三切欠１１ｉのＹ方向に沿った側面１１ｉ１が接触し、かつガイドレール１００の側面１０２ａに第三切欠１１ｉのＸ方向に沿った側面１１ｉ２が接触した状態（密着した状態）に、セットする。ここで、上述したように、目印１１ｅは、引掛部１１ｋに掛けられて二つの角度指示器１０間で架け渡されたワイヤ３０が、第三切欠１１ｉのＸ方向に沿った側面１１ｉ２と平行である状態で、当該ワイヤ３０が目印１１ｅに沿うよう、構成および配置されている。したがって、図６に示されるように、第三切欠１１ｉのＸ方向に沿った側面１１ｉ２とガイドレール１００の側面１０２ａとが密着し、かつワイヤ３０が目印１１ｅに沿った状態にあっては、Ｚ方向の視線において、ガイドレール１００の側面１０２ａが延びる方向、すなわち突壁１０２の突出方向と、ワイヤ３０の延びる方向とが、平行である。
【００３９】
一方、図７に示されるように、第三切欠１１ｉのＸ方向に沿った側面１１ｉ２とガイドレール１００の側面１０２ａとが密着している状態で、ワイヤ３０が目印１１ｅに沿っていない状態、すなわち、ワイヤ３０が目印１１ｅに沿った位置からオフセットした状態にあっては、Ｚ方向の視線において、ガイドレール１００の側面１０２ａが延びる方向、すなわち突壁１０２の突出方向と、ワイヤ３０が延びる方向とが、平行ではない。
【００４０】
したがって、作業者は、ワイヤ３０の両端の二つの角度指示器１０（１０Ｒ，１０Ｌ）において、ガイドレール１００の頂面１０２ｂに第三切欠１１ｉの側面１１ｉ１が接触し、ガイドレール１００の側面１０２ａに第三切欠１１ｉの側面１１ｉ２が密着し、かつワイヤ３０が目印１１ｅに沿った状態が得られるよう、二つの角度指示器１０（１０Ｒ，１０Ｌ）を見ながら、二つのガイドレール１００のうち少なくとも一方の位置や姿勢を調整する。これにより、作業者は、二つのガイドレール１００を、所要の位置および姿勢に設置するあるいは調整することができる。
【００４１】
また、本実施形態では、図６，７に示されるように、ベース部１１の、Ｘ方向においてガイドレール１００とは反対側の側面１１ｃには、第四切欠１１ｍが設けられている。第四切欠１１ｍは、引掛部１１ｋに掛けられて二つの角度指示器１０間で架け渡されたワイヤ３０が、第三切欠１１ｉのＸ方向に沿った側面１１ｉ２と平行である状態で、Ｚ方向の視線で、当該ワイヤ３０が第四切欠１１ｍと重なるよう、より詳しくは、第四切欠１１ｍの所定位置（例えば中央）と重なるよう、構成および配置されている。したがって、図６に示されるように、第三切欠１１ｉのＸ方向に沿った側面１１ｉ２とガイドレール１００の側面１０２ａとが密着し、かつワイヤ３０が第四切欠１１ｍを通る状態にあっては、Ｚ方向の視線において、ガイドレール１００の側面１０２ａが延びる方向、すなわち突壁１０２の突出方向と、ワイヤ３０の延びる方向とが、平行である。よって、作業者は、ワイヤ３０を第四切欠１１ｍに合わせるよう、二つのガイドレール１００のうち少なくとも一方の位置や姿勢を調整してもよい。第四切欠１１ｍは、第二の指示部の一例である。
【００４２】
なお、第２実施形態では、ガイドレール１００の突壁１０２の先端部が第二切欠１１ｈではなく第三切欠１１ｉ内に挿入された状態で、ガイドレール１００の位置および姿勢の調整が行われる例が示されたが、これには限定されず、ガイドレール１００の突壁１０２の先端部が第二切欠１１ｈ内に挿入された状態で、ガイドレール１００の位置および姿勢の調整が行われてもよい。この場合、ガイドレール１００の頂面１０２ｂに第二切欠１１ｈのＹ方向に沿った側面１１ｈ１が接触し、かつガイドレール１００の側面１０２ａにポインタ１２の側面１２ｂが密着した状態で、ポインタ１２の尖部１２ａが指示部１３の基準位置１３ａを指示し、かつＺ方向の視線で、ワイヤ３０が目印１１ｅに沿うか、あるいはワイヤ３０が第四切欠１１ｍと重なるよう、二つのガイドレール１００のうち少なくとも一方の位置や姿勢が調整される。
【００４３】
以上、説明したように、本実施形態では、ベース部１１に、ワイヤ３０（ストリング）を引っ掛ける引掛部１１ｋと、目印１１ｅあるいは第四切欠１１ｍ（第二の指示部）とが設けられている。よって、作業者は、ガイドレール１００にセットした角度指示器１０においてワイヤ３０が目印１１ｅあるいは第四切欠１１ｍと合致する姿勢となるよう、ガイドレール１００の位置や姿勢を調整することができる。したがって、作業者は、ガイドレール１００の位置や姿勢を調整する作業を、より容易に行うことができる。
【００４４】
また、本実施形態では、角度指示器１０には、指示部１３（第一の指示部）とともに目印１１ｅあるいは第四切欠１１ｍ（第二の指示部）が設けられている。よって、作業者は、状況や場所に応じて、適した作業形態を選択することができる。
【００４５】
以上、本発明の実施形態を例示したが、上記実施形態は一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態は、発明の範囲や要旨に含まれるとともに、特許請求の範囲に記載された発明とその均等の範囲に含まれる。また、各実施形態や各変形例の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。
【符号の説明】
【００４６】
１０…角度指示器、１１…ベース部、１１ａ…表面（第一の面）、１１ｅ…目印（第二の指示部）、１１ｆ…貫通孔（結合部）、１１ｈ１,１１ｉ１…側面（第一の接触面）、１１ｊ…開口部、１１ｋ…引掛部、１１ｍ…第四切欠（第二の指示部）、１２…ポインタ、１２ｂ…側面（第二の接触面）、１３…指示部（第一の指示部）、２０…中間部材、３０…ワイヤ（ストリング）、１００…ガイドレール、１０２ａ…側面、１０２ｂ…頂面。
【図１】
2017210333.tif 000003
【図２】
2017210333.tif 000004
【図３】
2017210333.tif 000005
【図４】
2017210333.tif 000006
【図５】
2017210333.tif 000007
【図６】
2017210333.tif 000008
【図７】
2017210333.tif 000009
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
エレベータのガイドレールの頂面との第一の接触面と、前記ガイドレールの長手方向を向いた第一の面と、を有したベース部と、
前記ベース部に前記第一の面に沿って回動可能に支持され、前記ガイドレールの側面との第二の接触面を有したポインタと、
前記ベース部に設けられ、前記ポインタの前記ベース部に対する所定姿勢を示す第一の指示部と、
を備え、
前記第一の面には、前記第一の面を垂直に見た場合に前記ポインタと重なる位置に、開口部が設けられた、ガイドレールの角度指示器。
【請求項２】
前記ベース部に、前記ガイドレールと平行に設置される別のガイドレールに設けられる別の角度指示器との間に介在する中間部材を結合する結合部が設けられた、請求項１に記載のガイドレールの角度指示器。
【請求項３】
前記ベース部に、前記ガイドレールと平行に設置される別のガイドレールに設けられる別の角度指示器との間に掛け渡されるストリングを引っ掛ける引掛部と、前記ストリングの前記ベース部に対する所定姿勢を示す第二の指示部と、が設けられた、請求項１または２に記載のガイドレールの角度指示器。
【請求項４】
前記開口部は、前記ポインタの長手方向に沿って延びる長穴状に構成された、請求項１〜３のうちいずれか一つに記載のガイドレールの角度指示器。
【請求項５】
エレベータのガイドレールの頂面との第一の接触面および前記ガイドレールの長手方向を向いた第一の面を有したベース部と、前記ベース部に前記第一の面に沿って回動可能に支持され、前記ガイドレールの側面との第二の接触面を有したポインタと、前記ベース部に設けられ、前記ポインタの前記ベース部に対する所定姿勢を示す第一の指示部と、を備え、前記第一の面には、前記第一の面を垂直に見た場合に前記ポインタと重なる位置に、開口部が設けられた、ガイドレールの角度指示器を用いた、ガイドレールの角度調整方法であって、
前記頂面に前記第一の接触面を接触させる工程と、
前記側面に前記第二の接触面を接触させる工程と、
前記ポインタが前記第一の指示部の所定位置を指すように前記ガイドレールの角度を調整する工程と、
を備えた、ガイドレールの角度調整方法。
【手続補正２】
【補正対象書類名】明細書
【補正対象項目名】０００５
【補正方法】変更
【補正の内容】
【０００５】
実施形態のガイドレールの角度指示器は、ベース部と、ポインタと、第一の指示部と、を備える。ベース部は、エレベータのガイドレールの頂面との第一の接触面と、ガイドレールの長手方向を向いた第一の面と、を有する。ポインタは、ベース部に第一の面に沿って回動可能に支持され、ガイドレールの側面との第二の接触面を有する。第一の指示部は、ベース部に設けられ、ポインタのベース部に対する所定姿勢を示す。第一の面には、第一の面を垂直に見た場合にポインタと重なる位置に、開口部が設けられる。